(57)【特許請求の範囲】
【請求項１】
上層、中層、下層の三層から成る縦長状のマットレスの前記上層は圧縮に対して復元力を有する合成樹脂発泡材を材料とし、その上面に多数の突起を突設し、前記中層は荷重に対してある程度の硬さを有する合成樹脂発泡体を材料とし、その上面に波状の凹凸を形成するとともに上面の波状凸部に対応する個所に中空部が形成されてなり、前記下層は復元力を有する弾性合成樹脂発泡材を材料にて形成される三層構造マットレスにおいて、前記中層の波状凸部及び中空部は横方向に形成するとともに、使用者の肩部から臀部に対応する中層部分の下面及び／又は上面には前記波状凸部及び中空部と直交する縦方向の溝部を複数並設して使用者の側臥姿勢時の肩部及び／又は臀部に対応する部位の柔らかさと沈み込み量を他の部位に比較し大きくすることにより肩部及び／又は臀部の圧迫感を除去することを特徴とする仰側臥対応三層構造マットレス。
【請求項２】
中層に形成する複数の溝におけるマットレスの横方向の中央部分に対応する使用者の肩から上腕にかけての矢状径に応じた溝の深さをその外側の溝の深さよりも深くすることを特徴とする請求項１記載の仰側臥対応三層構造マットレス。
【請求項３】
中層に形成する溝部はマットレスの縦方向におけるマットレス使用者の肩部と臀部に対応する部分を深くし、それ以外の部分を浅くすることを特徴とする請求項１又は２記載の仰側臥対応三層構造マットレス。
【請求項４】
上層、中層、下層の三層から成るマットレスは縦方向に複数に分割され、この分割マットレスを収納するカバーを用いて連結することを特徴とする請求項１乃至３記載の仰側臥対応三層構造マットレス。
【請求項５】
上層、中層、下層の三層から成るマットレスは入れ替え可能にすべく下面を開閉自在とするカバーにて被覆することを特徴とする請求項１又は４記載の仰側臥対応三層構造マットレス。
【発明の詳細な説明】
【技術分野】
【０００１】
本発明は、快適な寝姿勢を保つことで好適な入眠・安眠状態を得ることができ、ひいては健康維持・増進にもつながる三層構造マットレスの改良に関する。
【背景技術】
【０００２】
従来の三層構造マットレス３０は、図１０に示す如く、平板状の発泡ポリウレタン等の合成樹脂発泡材からなり弾性復元力を有し睡眠の妨げとなる外界の振動を吸収する等の目的を有する下層３１と、マットレスの横方向にほぼ平行して凸部３２ａと凹部３２ｂが繰り返し連続する波状部が上面に形成され、且つ下面には上面の波状の凸部３２ａに対応する個所に中空部３２ｃが形成された発泡ポリエチレン等の合成樹脂発泡材からなり且つ圧縮荷重付加に対する対抗性を有する中層３２と、上面が多数の山状の凸部３３ａと多数の凹部３３ｂが形成された発泡ポリウレタン等の合成樹脂発泡材からなる圧縮に対して弾性復元力を有する上層３３が積層された構造からなるものである。
【０００３】
この三層構造マットレス３０において、下層３１はマットレス使用者Ｍの全体重を受け、中層３２は波型構造と適度の硬度により使用者の背骨矯正・整体効果が期待され、上層３３は上面のプロファイル加工を施したことによる凹凸構造によりマッサージ・指圧効果、床ずれ防止効果などの諸効果が期待されている。
【特許文献１】実公平３−４０１９５号公報
【発明の開示】
【発明が解決しようとする課題】
【０００４】
このように優れた効果を発揮する三層構造マットレスは、あくまで仰向けの仰臥姿勢を基本の寝姿勢として考慮されたものであって、仰臥姿勢では快適な寝姿勢を保つことができても、使用者が横向きになる側臥姿勢の場合には背筋がまっすぐにならずに肩部や臀部に圧迫感が生じて、快適な寝姿勢を保つことが充分ではなかった。
【０００５】
側臥姿勢になることが多い寝入りや、腰痛のある人、腰の曲がった人などにあっては、側臥姿勢となることが多いことから肩部あるいは臀部に圧迫感を感じ、すみやかな入眠と好適な安眠状態を得ることが困難であった。
【０００６】
そこで本発明にあっては、寝姿勢の基本姿勢である仰臥姿勢にはある程度対応できるものの、側臥姿勢には対応できず、側臥した時肩部あるいは臀部に圧迫感を感じざるを得ない従来の三層構造マットレスの欠点を解決し、仰臥姿勢はもちろんのこと側臥姿勢にあっても肩部、臀部に圧迫感を感じることなく好適な入眠及び安眠状態を得る仰側臥対応三層構造マットレスを提供することにある。
【課題を解決するための手段】
【０００７】
上記目的を達成するため、本発明の仰側臥対応三層構造マットレスは、上層、中層、下層の三層から成る縦長状のマットレスの前記上層は圧縮に対して復元力を有する合成樹脂発泡材を材料とし、その上面に多数の突起を突設し、前記中層は荷重に対してある程度の硬さを有する合成樹脂発泡体を材料とし、その上面に波状の凹凸を形成するとともに上面の波状凸部に対応する個所に中空部が形成されてなり、前記下層は復元力を有する弾性合成樹脂発泡材を材料にて形成される三層構造マットレスにおいて、前記中層の波状凸部及び中空部は横方向に形成するとともに、使用者の肩部から臀部に対応する中層部分の下面及び／又は上面には前記波状凸部及び中空部と直交する縦方向の溝部を複数並設して使用者の側臥姿勢時の肩部及び／又は臀部に対応する部位の柔らかさと沈み込み量を他の部位に比較し大きくすることにより肩部及び／又は臀部の圧迫感を除去することを特徴とする。
【０００８】
また、中層に形成する複数の溝におけるマットレスの横方向の中央部分に対応する使用者の肩から上腕にかけての矢状径に応じた溝の深さをその外側の溝の深さよりも深くすることを特徴とする。
【０００９】
また、中層に形成する溝部はマットレスの縦方向におけるマットレス使用者の肩部と臀部に対応する部分を深くし、それ以外の部分を浅くすることを特徴とする。
【００１０】
また、上層、中層、下層の三層から成るマットレスは縦方向に複数に分割され、この分割マットレスを収納するカバーを用いて連結することを特徴とする。
【００１１】
また、上層、中層、下層の三層から成るマットレスは入れ替え可能にすべく下面を開閉自在とするカバーにて被覆することを特徴とする。
【発明の効果】
【００１２】
本発明によれば、上層、中層、下層の三層から成る縦長状のマットレスの前記上層は圧縮に対して復元力を有する合成樹脂発泡材を材料とし、その上面に多数の突起を突設し、前記中層は荷重に対してある程度の硬さを有する合成樹脂発泡体を材料とし、その上面に波状の凹凸を形成するとともに上面の波状凸部に対応する個所に中空部が形成されてなり、前記下層は復元力を有する弾性合成樹脂発泡材を材料にて形成される三層構造マットレスにおいて、前記中層の波状凸部及び中空部は横方向に形成するとともに、使用者の肩部から臀部に対応する中層部分の下面及び／又は上面には前記波状凸部及び中空部と直交する縦方向の溝部を複数並設することで、使用者の側臥姿勢時の肩部及び／又は臀部に対応する部位の柔らかさと沈み込み量を他の部位に比較し大きくなって背筋がまっすぐになることで圧迫感がなくなり、これにより好適な入眠及び安眠状態を得ることができる。
【００１３】
また、中層に形成する複数の溝におけるマットレスの横方向の中央部分に対応する使用者の肩から上腕にかけての矢状径に応じた溝の深さをその外側の溝の深さよりも深くすることで、使用者が側臥姿勢の時には深い溝部に肩部と臀部が位置して大きく沈み込んで背筋をまっすぐにすることができるとともに、使用者が仰臥姿勢のときには両肩部や臀部両側が深い溝部に位置しないことで肩部と臀部が過度に沈み込まずに好適な寝姿勢を保つことができる。
【００１４】
また、中層に形成する溝部はマットレスの縦方向におけるマットレス使用者の肩部と臀部に対応する部分を深くし、それ以外の部分を浅くすることで、肩部と臀部をなだらかな傾斜で沈み込ませることができ、これにより一層好適な寝姿勢を保つことができる。
【００１５】
また、上層、中層、下層の三層から成るマットレスは縦方向に複数に分割され、この分割マットレスを収納するカバーを用いて連結することで、マットレスを折り畳むことによりコンパクトにして収納することができる。
【００１６】
また、上層、中層、下層の三層から成るマットレスは入れ替え可能にすべく下面を開閉自在とするカバーにて被覆することで、標準体格、痩身体格、肥満体格、腰痛の有無などの各種タイプに対応するべく、下層の身体各部位（たとえば頭・肩部、腰部、臀部、大腿部、下腿部の各部位）対応部分を入れ替えて好適な硬度・クッション性に調整することができる。これにより、使用者は自己の体格及び腰痛の有無に応じて理想的な硬度・クッション性からなる三層構造マットレスを選択し使用することができ、スムースな入眠及び安眠状態を得ることができることは勿論のこと、優れた腰痛治療効果、背骨矯正効果を発揮することができ体格、腰痛の有無にかかわらず画一的な構造とならざるを得なかった従来の三層構造マットレスの欠点を解決することができ、三層構造特有の相乗効果をより一層効果的に享受することができる。
【発明を実施するための最良の形態】
【００１７】
図１及び図２は、本発明の仰側臥対応三層構造マットレス１の使用状態を示し、図１はマットレス使用者Ｍが仰臥姿勢、図２は側臥姿勢とするものである。
仰側臥対応三層構造マットレス１は、上層、中層、下層の三層から構成される縦長状マットレスであり、図中２は上層であり、通気性を有する軟材の連続発泡ウレタンフォームで構成され、上面には使用者の体圧を点で受けとめるべくプロファイル加工されて複数の突起部２ａが形成され、床ずれを防ぎ、指圧代用効果を発揮する。またこの上層２は、マットレス使用者Ｍの筋肉の疲れをとり、こりをほぐして血行を促進する。
【００１８】
３は中層であり、硬質の架橋独立発泡ポリエチレンフォームからなり、その形状は上面を凸部３ａと凹部３ｂが縦に連設する波型とするとともに、下面の前記凸部３ａ対応個所には中空部３ｃが形成されている。
この中層３は、荷重に対して主として曲げ変形を起こし、適度の反力と沈み込み量を発生する。
【００１９】
４は下層であり、通気性を有する連続発泡ウレタンフォームから形成され、中層３のたわみをバランスよく受け止めるクッションの役目を果す。
【００２０】
本実施例にあっては、仰側臥対応三層構造マットレス１を三つ折り可能とするために、マットレスの横方向に分割面を設けて３つのブロック５、６、７に分割してするとともに、ブロック４及び５についてはさらに身体各部位に対応させてそれぞれを３つのセグメント５ａ、５ｂ、５ｃ、及び６ａ、６ｂ、６ｃに分割している。これにより、肩部及び臀部に対応するセグメント５ｂ及び６ｂを柔らかくする一方、腰部及び大腿部に対応するセグメント５ｃ及び６ｃを硬くするものというに、下層４の硬度・クッション性を使用者に対応させて細かく設定することが可能となる。
【００２１】
また本実施例にあっては、仰側臥対応三層構造マットレス１全体の厚さが約１４０ｍｍであるのに対し、上層２及び中層３の厚さをそれぞれ約３５ｍｍ、下層４の厚さを約７０ｍｍとして、従来の三層構造マットレスと比較して下層４を厚くするもので、これにより使用者の身体各部位ごとにマットレスの硬度・クッション性を容易に設定することが可能となるものである。すなわち、標準体格、痩身体格、肥満体格、腰痛の有無などの各種タイプに対応するべく、下層の身体各部位（たとえば頭・肩部、腰部、臀部、大腿部、下腿部の各部位）対応部分を入れ替えて好適な硬度・クッション性に調整することができる。これにより、使用者は自己の体格及び腰痛の有無に応じて理想的な硬度・クッション性からなる三層構造マットレスを選択し使用することができ、スムースな入眠及び安眠状態を得ることができることは勿論のこと、優れた腰痛治療効果、背骨矯正効果を発揮することができ体格、腰痛の有無にかかわらず画一的な構造とならざるを得なかった従来の三層構造マットレスの欠点を解決することができ、三層構造特有の相乗効果をより一層効果的に享受することができる。
【００２２】
前記中層３には、図３〜図６に示すごとく、その下面に、中空部３ｃと直交する方向、すなわちマットレスの縦方向に沿って複数本（本実施例では９本）の溝部８を並設している。この溝部８の９本全体の横幅としては、図６に示すごとく、マットレス使用者Ｍの肩部にあっては肩幅よりも少し狭い幅に、また臀部にあっては臀部の横幅よりも少し狭い幅に設定する（一般的には臀部の横幅の方が、肩幅よりも小径なので、肩部・臀部とも臀部の横幅よりも少し狭い幅にあわせてもよい）。また溝部８は、マットレス使用者Ｍの部位としては、首の付け根あたりから肋骨下端まで、及び骨盤上端あたりから臀部までの長さにわたって形成することで、その作用効果を充分に発揮することができ、腰部の溝部８は不要ではあるが、あえて腰部にも溝部８が形成されていても、マットレスに対して腰の接触は弱く、そして溝部が体幅方向の比較的狭い範囲に形成されることで腰に影響することはないものである。
【００２３】
さらに、マットレスの横方向における溝部８の外側の各２本を浅溝８ａとし、中央部分に位置する溝部８の５本を、浅溝８ａよりも深い深溝８ｂとして、図６に示すごとく、側臥した状態のマットレス使用者Ｍの肩から上腕にかけての厚さ、すなわち矢状径に対応させることで、マットレス使用者Ｍが側臥姿勢の時には深い溝部に肩部と臀部が位置して大きく沈み込んで背筋をまっすぐにすることができるとともに、使用者が仰臥姿勢のときには両肩部や臀部両側が深い溝部に位置しないことで肩部と臀部が過度に沈み込まずに好適な寝姿勢を保つことができる。これにより、マットレス使用者の肩部と臀部を沈み込ませて好適な寝姿勢を保つことができるとともに、仰臥姿勢時において肩部と臀部を過度に沈み込ませることがないものである。
【００２４】
図７は本発明の仰側臥対応三層構造マットレスにおける溝部の他の実施例を示し、中層３の溝部９におけるマットレスの縦方向の深溝９ｂの溝深さを、肩部から頭部方向にかけて、また臀部から大腿部方向にかけて、傾斜状若しくは階段状にその深さを浅くする構造とするものである。溝部９の深さをこのような構造とすることで、肩部と臀部をなだらかな傾斜で沈み込ませることができ、これにより一層好適な寝姿勢を保つことができる。また、浅溝９ａについても、その縦方向の溝深さを肩部から頭部方向にかけて、また臀部から大腿部方向にかけて、傾斜状若しくは階段状に浅くしてもよいものである。
【００２５】
図８及び図９は、本発明の仰側臥対応三層構造マットレスを被覆するカバー構造を示しており、仰側臥対応三層構造マットレス１の３つのブロック５、６、７を、それぞれ布製のカバー１０で被覆し、図８に示すごとく、ブロック５と６、ブロック６と７を１辺で接続する。このブロックの接合方法としては、ファスナ、面状ファスナ、ボタン、フック、紐結びなどの着脱自在な方法の他に、縫製することで固定的に接合する方法を用いてもよい。これにより、本実施例の仰側臥対応三層構造マットレスは折り畳むことによりコンパクトにして収納することができる。また、ブロックをファスナなどを用いて着脱自在とした場合には、製造工程やアフターサービス等においてブロックの入れ替え・交換が容易に行えるものである。
【００２６】
また、このカバー９の開閉方法としては、図９に示すごとく、各カバー１０の下面の３辺を開閉するようにファスナ１１を設けるもので、これによりカバー１０が全面開口してマットレスのブロックやセグメントごとの収納・取り出しを容易に行うことができる。
【図面の簡単な説明】
【００２７】
【図１】本発明の仰側臥対応三層構造マットレスの使用状態を示す側断面図である。
【図２】本発明の仰側臥対応三層構造マットレスの使用状態を示す側断面図である。
【図３】本発明の仰側臥対応三層構造マットレスの中層の底面図である。
【図４】本発明の仰側臥対応三層構造マットレスの中層の斜視図である。
【図５】本発明の仰側臥対応三層構造マットレスの中層の側面図である。
【図６】本発明の仰側臥対応三層構造マットレスの使用状態を示す断面図である。
【図７】本発明の仰側臥対応三層構造マットレスにおける溝部の他の実施例を示す側断面図である。
【図８】本発明の仰側臥対応三層構造マットレスにおけるカバー構造を示す側面図である。
【図９】本発明の仰側臥対応三層構造マットレスにおけるカバー構造を示す底面図である。
【図１０】従来の三層構造マットレスの使用状態を示す側断面図である。
【符号の説明】
【００２８】
１  仰側臥対応三層構造マットレス
２  上層
３  中層
４  下層
５  ブロック
６  ブロック
７  ブロック
８  溝部
８ａ  浅溝
８ｂ  深溝
８  溝部
９  溝部
１０  カバー
１１  ファスナ
Ｍ  マットレス使用者
【図１】
0004517241.tif 000002
【図２】
0004517241.tif 000003
【図３】
0004517241.tif 000004
【図４】
0004517241.tif 000005
【図５】
0004517241.tif 000006
【図６】
0004517241.tif 000007
【図７】
0004517241.tif 000008
【図８】
0004517241.tif 000009
【図９】
0004517241.tif 000010
【図１０】
0004517241.tif 000011